(57)【要約】【課題】簡易な構成で、粘性を有する物質内の磁性体を高い精度で検出する技術を提供する。【解決手段】粘性を有する物質である粘性物質内に含まれる金属不純物を検出する金属不純物検査装置１００であって、粘性物質を一定の厚みに保って保持する保持装置１１０と、粘性物質内の金属不純物を検出する検出装置１３０と、保持装置１１０を検出装置１３０の上をスライド自在に案内するスライドガイド１２０と、を備え、検出装置１３０は、保持装置１１０がスライドする方向に交互に配置される発振コイル１３６と受信コイル１３８とを有するコイルセット１３１を複数備え、発振コイル１３６は、交流磁場を生成し、受信コイル１３８は、発振コイル１３６が生成した交流磁場に基づく磁場波形を出力データとして出力し、複数のコイルセット１３１それぞれは、保持装置１１０がスライドするスライド面上でスライドする方向に直交する方向の異なる位置に配置される。【選択図】図１
2020197421.tif 000002
【特許請求の範囲】
【請求項１】
粘性を有する物質である粘性物質内に含まれる金属不純物を検出する金属不純物検査装置であって、
前記粘性物質を一定の厚みに保って保持する保持装置と、
前記粘性物質内の前記金属不純物を検出する検出装置と、
前記保持装置を前記検出装置の上をスライド自在に案内するスライドガイドと、を備え、
前記検出装置は、前記保持装置がスライドする方向に交互に配置される発振コイルと受信コイルとを有するコイルセットを複数備え、
前記発振コイルは、交流磁場を生成し、
前記受信コイルは、前記発振コイルが生成した前記交流磁場に基づく磁場波形を出力データとして出力し、
複数の前記コイルセットそれぞれは、前記保持装置がスライドするスライド面上でスライドする方向に直交する方向の異なる位置に配置されること
を特徴とする金属不純物検査装置。
【請求項２】
請求項１記載の金属不純物検査装置であって、
前記コイルセットは、
前記発振コイルは、互いに逆向きの交流磁場を生成する第一発振コイルおよび第二発振コイルを備え、
前記受信コイルは、前記第一発振コイルおよび前記第二発振コイルの中間に配置されること
を特徴とする金属不純物検査装置。
【請求項３】
請求項１記載の金属不純物検査装置であって、
前記検出装置から出力される前記出力データを分析し、前記金属不純物の有無を示す情報をユーザに提示する分析装置をさらに備えること
を特徴とする金属不純物検査装置。
【請求項４】
請求項１記載の金属不純物検査装置であって、
前記保持装置は、
前記粘性物質が載置される載置板と、
前記粘性物質の上に配置され、前記載置板との距離が一定になるように保持されるカバー板と、を備えること
を特徴とする金属不純物検査装置。
【請求項５】
請求項１記載の金属不純物検査装置であって、
前記スライドガイドは、前記保持装置を前記検出装置の表面に一定距離で近接させながら案内する案内溝を有するガイドレールを備えること
を特徴とする金属不純物検査装置。
【請求項６】
請求項３記載の金属不純物検査装置であって、
前記分析装置は、前記金属不純物の分布を算出する分布算出部を備えること
を特徴とする金属不純物検査装置。
【請求項７】
請求項６記載の金属不純物検査装置であって、
前記分析装置は、得られた前記分布に応じた警告を出力する警告出力部をさらに備えること
を特徴とする金属不純物検査装置。
【請求項８】
請求項１記載の金属不純物検査装置であって、
前記保持装置に保持される前記粘性物質を撮影する撮影装置と、
前記撮影装置で前記粘性物質を撮影する際に当該粘性物質に光を照射する照明装置と、をさらに備えること
を特徴とする金属不純物検査装置。
【請求項９】
請求項８記載の金属不純物検査装置であって、
前記検出装置の上面と前記照明装置の上面とは、同一平面上に配置されること
を特徴とする金属不純物検査装置。
【請求項１０】
請求項８記載の金属不純物検査装置であって、
前記検出装置は、前記照明装置の上に、着脱自在に設けられること
を特徴とする金属不純物検査装置。
【請求項１１】
請求項１記載の金属不純物検査装置であって、
前記検出装置は、乗客コンベアのハンドレール検査装置であること
を特徴とする金属不純物検査装置。
【発明の詳細な説明】
【技術分野】
【０００１】
本発明は、グリス等の粘性を有する物質の検査技術に関する。特に、主として大型機械の回転部に使用される軸受、および軸受の潤滑に使用されるグリスの検査技術に関する。
【背景技術】
【０００２】
昇降機等の大型機械の回転部に使用される軸受は、その構造上、金属同士がこすれ合うことにより摩耗し、経年で損傷、劣化する。そのため定期的な点検、保守が必要である。通常、軸受部には潤滑と部品保護のためにグリスが充填される。このため、直接、軸受表面の劣化状態を確認できない。そこで、一般に、グリスを採取して、そのグリスの色や、グリスに含まれる鉄粉含有量を測定することで、間接的に軸受の状態を確認する。
【０００３】
このとき用いられる鉄粉含有量の測定法として、例えば、特許文献１には、「コア材に第１の励磁コイルを巻き回して形成された第１の励磁部と、コア材に第２の励磁コイルを巻き回して形成された第２の励磁部と、コア材に検出コイルを巻き回して形成された検出部と、第１の連結部と、第２の連結部と、第１の励磁コイルにより発生する磁界の方向と、第２の励磁コイルにより発生する磁界の方向とが互いに逆になるように、各励磁コイルに接続された高周波電源と、金属不純物を含有する試料を保持するサンプル保持部が設置される切り欠き部と、検出コイルに発生する誘導電圧もしくは誘導電流を測定する測定部と、を備える（要約抜粋）」金属不純物測定装置が開示されている。
【先行技術文献】
【特許文献】
【０００４】
【特許文献１】特開２０１９−２７５２号公報
【発明の概要】
【発明が解決しようとする課題】
【０００５】
特許文献１に開示の金属不純物測定装置では、グリスは筒状のサンプルケースに保持される。そして、２つの励磁部と１つの検出部とがそのサンプルケースの周囲を囲むように設置されている。
【０００６】
この金属不純物測定装置では、２つの励磁部により、検出部で互いに打ち消すように磁束を発生させる。測定するグリス中に鉄粉が含まれない場合は、検出部に、磁束による誘導電圧または誘導電流が発生しない。一方、グリス中に鉄粉が含まれる場合は、磁束に変化が生じ、検出部に誘導電圧または誘導電流が発生する。この誘導電圧または誘導電流を測定することで、グリス中の鉄粉濃度を測定する。
【０００７】
しかし、特許文献１に開示の金属不純物測定装置の構成の場合、グリスに含まれる鉄粉の励磁部からの距離が、その分布位置がサンプルケースの外周付近の場合と中心付近の場合とで異なり、磁束密度に差異が発生する。従って、同量の鉄粉が含まれていても、鉄粉の分布位置によって検出される磁束の変化に差異が発生する。また、サンプルケースが筒状であるため、３次元の計測が必要となる。このため、３軸（Ｘ，Ｙ，Ｚ）で磁束を検出する構造や励磁電流が必要であり、装置が大掛かりで、高価となる。
【０００８】
本発明は上記事情に鑑みてなされたもので、簡易な構成で、粘性を有する物質内の金属不純物を高い精度で検出する技術を提供することを目的とする。
【課題を解決するための手段】
【０００９】
本発明は、粘性を有する物質である粘性物質内に含まれる金属不純物を検出する金属不純物検査装置であって、前記粘性物質を一定の厚みに保って保持する保持装置と、前記粘性物質内の前記金属不純物を検出する検出装置と、前記保持装置を前記検出装置の上をスライド自在に案内するスライドガイドと、を備え、前記検出装置は、前記保持装置がスライドする方向に交互に配置される発振コイルと受信コイルとを有するコイルセットを複数備え、前記発振コイルは、交流磁場を生成し、前記受信コイルは、前記発振コイルが生成した前記交流磁場に基づく磁場波形を出力データとして出力し、複数の前記コイルセットそれぞれは、前記保持装置がスライドするスライド面上でスライドする方向に直交する方向の異なる位置に配置されることを特徴とする。
【発明の効果】
【００１０】
本発明によれば、簡易な構成で、粘性を有する物質内の金属不純物を高い精度で検出できる。上記した以外の課題、構成および効果は、以下の実施形態の説明により明らかにされる。
【図面の簡単な説明】
【００１１】
【図１】第一実施形態の金属不純物検査装置の全体構成図である。
【図２】（ａ）は、第一実施形態の検出装置を、（ｂ）および（ｃ）は、第一実施形態のスライドガイドを、それぞれ、説明するための説明図である。
【図３】第一実施形態の検出装置の詳細を説明するための説明図である。
【図４】（ａ）および（ｂ）は、第一実施形態の検出装置の原理を説明するための説明図である。
【図５】（ａ）は、第一実施形態の分析装置の構成図であり、（ｂ）は、第二実施形態の分析装置の機能ブロック図である。
【図６】第一実施形態の金属不純物検査装置の使用方法を説明するための説明図である。
【図７】（ａ）〜（ｃ）は、第一実施形態の出力波形例を説明するための説明図である。
【図８】（ａ）〜（ｃ）は、第一実施形態の表示例を、（ｄ）は、その表示例から推測されるグリス内の鉄粉の分布を、それぞれ説明するための説明図である。
【図９】（ａ）〜（ｃ）は、第一実施形態の表示例を、（ｄ）は、その表示例から推測されるグリス内の鉄粉の分布を、それぞれ説明するための説明図である。
【図１０】第一実施形態の他の表示例を説明するための説明図である。
【図１１】（ａ）〜（ｃ）は、第二実施形態の分析処理を説明するための出力波形例である。
【図１２】（ａ）〜（ｂ）は、第二実施形態の分析処理を説明するための出力波形例である。
【図１３】第三実施形態の金属不純物検査装置の全体構成図である。
【図１４】第三実施形態の検出装置および照明装置の配置を説明するための説明図である。
【図１５】第三実施形態の変形例の金属不純物検査装置の全体構成図である。
【図１６】（ａ）は、第三実施形態の変形例のガイドレールを、（ｂ）は、検出装置を、（ｃ）は、照明装置を、それぞれ説明するための説明図である。
【図１７】本発明の変形例の検出装置を説明するための説明図である。
【図１８】本発明の変形例の検出装置を説明するための説明図である。
【発明を実施するための形態】
【００１２】
＜＜第一実施形態＞＞
本発明の第一実施形態を、図面を用いて説明する。本実施形態の金属不純物検査装置では、磁気センサが配置された検出装置上で、グリスのような粘性のある物質を移動させて、その物質内の金属不純物を検出する。粘性のある物質は、例えば、厚さが均一になるように封入される。磁気センサは、例えば、封入された物質が移動することにより、磁束が変化するよう構成される。
【００１３】
以下、本実施形態を、図面を用いて説明する。以下の説明においては、検査対象の、粘性のある物質（粘性物質）をグリスとし、金属不純物を鉄粉として説明する。
【００１４】
［検査装置の全体構成］
図１は、本実施形態の金属不純物検査装置１００の全体構成図である。本図に示すように、本実施形態の金属不純物検査装置１００は、保持装置１１０と、スライドガイド１２０と、検出装置１３０と、分析装置１４０と、を備える。保持装置１１０は、グリス１１１を一定の厚みに保って保持する。スライドガイド１２０は、保持装置１１０を、検出装置１３０上をスライド自在に案内する。検出装置１３０は、保持装置１１０が保持するグリス１１１内の鉄粉を検出する。分析装置１４０は、検出装置１３０からの検出信号を分析する。
【００１５】
以下、本実施形態では、図１に示すように、検出装置１３０の上面に平行な平面をｘｙ平面とし、それに垂直な方向をｚ方向とする。また、ｘｙ平面上で保持装置をスライドさせる方向を−ｘ方向、それに直交する方向をｙ方向とする。以下、ｘ方向を長手方向、ｙ方向を幅方向、ｚ方向を上下方向とも呼ぶ。また、ｚ方向における上下は、図中の定義のとおりとする。
【００１６】
［保持装置］
保持装置１１０は、検査対象であるグリス１１１を、略平面状に一定の厚みに保って保持する。本実施形態では、図１に示すように、グリス１１１を封入する封入袋１１２と、ｘｙ平面と平行、かつ、ｚ方向に一定の間隔をあけて配置された上下２枚の挟み板１１３、１１４と、を備える。
【００１７】
上下２枚の挟み板１１３および１１４は、それぞれ、グリス１１１を載置する載置板１１４および載置板１１４との距離が一定になるようにグリス１１１の上に配置されるカバー板１１３である。両者の機能を区別する必要が無い場合は、それぞれ挟み板と呼ぶ。
【００１８】
挟み板１１３と１１４との間隔は、グリス１１１が略平面状になるよう、極小さいものとする。グリス１１１は、この２枚の挟み板１１３および１１４の間に挟まれ、一定の厚みに保たれる。
【００１９】
なお、挟み板１１３および１１４は、互いに離れないよう、一端をテープ等で接続してもよい。また、２枚の挟み板１１３および１１４のｚ方向の間隔を一定に保つため、２枚の挟み板１１３および１１４の間に、固定脚等を配置してもよい。固定脚は、例えば、挟み板１１４の４隅に配置する。
【００２０】
封入袋１１２には、例えば、安価なファスナー付きクリアポケットを使用することができる。これにより、グリス１１１の検査後に容易に廃棄できる。
【００２１】
［検出装置］
検出装置１３０は、保持装置１１０に保持されたグリス１１１内に鉄粉が含まれる場合、当該鉄粉を検出する。そして、検出結果を出力データとして、分析装置１４０に出力する。本実施形態では、保持装置１１０が、スライドガイド１２０に沿ってスライドしている間に、グリス１１１内の鉄粉を検出する。
【００２２】
検出装置１３０を上方から見た図を図２（ａ）に示す。検出装置１３０は、ｘｙ平面に平行な平面上であって、ｙ方向に異なる位置に配置された複数のコイルセット１３１ａ，１３１ｂ、１３１ｃを備える。各コイルセット１３１ａ，１３１ｂ、１３１ｃは、図２（ａ）に示すように、ｘｙ平面に平行な平面上であって、ｘ方向に一列に配置された第一発振コイル１３６ａと受信コイル１３８と第二発振コイル１３６ｂとを備える。なお、以下、特に区別する必要がない場合は、コイルセット１３１ａ，１３１ｂ、１３１ｃは、コイルセット１３１で代表する。
【００２３】
第一発振コイル１３６ａと第二発振コイル１３６ｂとは、それぞれ、同一平面上に互いに逆向きの交流磁場を生成する。また、受信コイル１３８は、第一発振コイル１３６ａと第二発振コイル１３６ｂとの中間またはその近傍に配置され、第一発振コイル１３６ａおよび第二発振コイル１３６ｂにより生成された交流磁場を検出する。なお、以下、特に区別する必要がない場合は、第一発振コイル１３６ａおよび第二発振コイル１３６ｂを、発振コイル１３６で代表する。
【００２４】
本実施形態では、複数のコイルセット１３１は、保持装置１１０の幅方向であるｙ方向の全幅の鉄粉を検出可能なように配置される。
【００２５】
ここで、本実施形態の検出装置１３０の詳細を説明する。本実施形態の検出装置１３０は、複数のコイルセット１３１ａ、１３１ｂ、１３１ｃを有する検出部に加え、図３に示すように、交流発生部１３２と、受信部１３３とを備える。なお、検出部は、例えば、略平面状に形成される。
【００２６】
交流発生部１３２は、所定の周波数の交流電流を発生させ、各コイルセット１３１の、第一発振コイル１３６ａおよび第二発振コイル１３６ｂに供給する。第一発振コイル１３６ａおよび第二発振コイル１３６ｂは、交流発生部１３２から供給される交流電流により、互いに逆向きで同一強度の交流磁場を生成する。なお、第一発振コイル１３６ａおよび第二発振コイル１３６ｂに互いに逆向きの交流磁場を生成させるには、例えば、それぞれのコイルの巻回方向を逆向きにしておけばよい。
【００２７】
受信コイル１３８は、第一発振コイル１３６ａおよび第二発振コイル１３６ｂが生成した交流磁場に基づき発生する磁場波形（誘導電圧または誘導電流）を受信部１３３に出力する。以下、誘導電圧を出力するものとして説明する。
【００２８】
本実施形態では、受信コイル１３８は、上述のように、第一発振コイル１３６ａおよび第二発振コイル１３６ｂの略中間に配置される。このため、図４（ａ）に示すように、磁界を乱すものが周囲にない場合は、第一発振コイル１３６ａにより生じる磁界（磁力線Ｂ１で表す）と第二発振コイル１３６ｂにより生じる磁界（磁力線Ｂ２で表す）は、受信コイル１３８の位置で打ち消される。すなわち、保持装置１１０に保持されたグリス１１１内に鉄粉が存在しない場合である。この場合は、誘導電圧は発生しない。
【００２９】
一方、磁界を乱すものが磁界内に不均一に存在する場合は、両磁界は、受信コイル１３８の位置で、完全に打ち消されない。例えば、磁性体が磁界の中を通ると、磁性体自体も磁化され、磁界を発生する。このため、発振コイル１３６による磁界と合成され、磁束密度が増加する。そして、打ち消されずに残る磁界により、受信コイル１３８に誘導電圧が発生する。例えば、保持装置１１０に保持されたグリス１１１内に鉄粉１１１ｆが存在する場合である。
【００３０】
受信部１３３は、受信コイル１３８に発生した誘導電圧を検出し、増幅、ＡＤ／ＤＣ変換等の信号処理を施し、出力データとして外部に出力する。本実施形態では、分析装置１４０に送信する。なお、本実施形態では、受信部１３３は、各コイルセット１３１内の受信コイル１３８から受け取った誘導電圧を、それぞれ、独立したチャネルの出力データとして、外部に出力する。
【００３１】
［スライドガイド］
スライドガイド１２０は、保持装置１１０を、検出装置１３０の表面（上面）に一定距離で近接させつつ、スライド自在に支持し、−ｘ方向に案内する。スライドガイド１２０は、図２（ｂ）に示すように、検出装置１３０のｙ方向両脇（両端部）に、ｘ方向の全長に渡って、それぞれ配置される２本のガイドレール１２１ａ、１２１ｂを備える。ガイドレール１２１ａ、１２１ｂは、保持装置１１０を案内する案内溝を備える。
【００３２】
なお、このとき、グリス１１１の厚さｈ１は、２枚の挟み板１１３、１１４のｚ方向の高さ、ｈ３およびｈ４の和と、案内溝のｚ方向の高さＨとの差で得られる。Ｈとｈ３＋ｈ４との差を小さくすればするほど、検出時のグリス１１１の厚みが薄くなり、グリス１１１は、より平面に近くなる。
【００３３】
［分析装置］
分析装置１４０は、検出装置１３０から出力される出力データを分析し、鉄粉の有無を示す情報をユーザに提示する。本実施形態では、出力データは、グリス１１１内の鉄粉の存在による誘導電圧の時間的な変化である。分析装置１４０は、グリス１１１内の鉄粉の存在による誘導電圧の変化態様をユーザに提示する。
【００３４】
これを実現するため、本実施形態の分析装置１４０は、図５（ａ）に示すように、情報処理部１４１と、通信部１４２と、操作部１４３と、表示部１４４と、を備える。
【００３５】
通信部１４２は、検出装置１３０と有線または無線で接続され、検出装置１３０から出力データを受信する。
【００３６】
情報処理部１４１は、出力データを分析する。本実施形態では、ＣＰＵ１４１ａとメモリ１４１ｂと記憶装置１４１ｃとを備え、予め記憶装置１４１ｃに格納されたプログラムを、ＣＰＵ１４１ａがメモリ１４１ｂにロードして実行することにより、分析処理を実現する。
【００３７】
操作部１４３は、ユーザからの操作指示を受け付ける。例えば、キーボード、マウス、タッチパネル等である。
【００３８】
表示部１４４は、情報処理部１４１による処理結果を表示する。例えば、ＬＣＤ（Ｌｉｑｕｉｄ  Ｃｒｙｓｔａｌ  Ｄｉｓｐｌａｙ）、ＣＲＴ（Ｃａｔｈｏｄｅ  Ｒａｙ  Ｔｕｂｅ）ディスプレイなどである。
【００３９】
［使用方法］
上記構成を有する本実施形態の金属不純物検査装置１００の使用方法を、図６を用いて説明する。なお、使用する際、各発振コイル１３６に交流磁場を発生させておく。
【００４０】
まず、ユーザは、封入袋１１２に検査対象のグリス１１１を封入する。そして、封入袋１１２を、挟み板１１３および１１４の間に挟む。これにより、グリス１１１は、均一の厚さで、略平面状に、保持装置１１０に保持される。
【００４１】
ユーザは、保持装置１１０を、スライドガイド１２０のガイドレール１２１、１２２の案内溝に挿入する。そして、保持装置１１０を、案内溝に沿って、長手方向（−ｘ方向）に移動させる。これにより、保持装置１１０は、ｚ方向の高さを一定に保ち、検出装置１３０の上面であるスライド面上を−ｘ方向にスライドする。すなわち、検出中、グリス１１１の厚さｈ１も、略一定に保たれる。
【００４２】
また、保持装置１１０は、挟み板１１３の長手方向（ｘ方向）の全長が、いずれかのコイルセット１３１の受信コイル１３８上を通過するまで移動させる。これにより、検出装置１３０は、封入袋１１２に封入したグリス１１１全体内の鉄粉を、一定距離で検出することができる。
【００４３】
検出装置１３０の受信部１３３は、ユーザの指示に従って、検出結果を分析装置１４０に出力する。例えば、保持装置１１０が挿入されたタイミングから、ユーザが保持装置１１０を停止させるまでの間、検出結果を分析装置１４０に出力する。
【００４４】
［分析結果］
このとき、受信部１３３から出力される出力データに基づいて分析装置１４０がその表示部１４４に表示するグラフ（出力波形）の例を、図７（ａ）〜図７（ｂ）に示す。なお、ここでは、１つのコイルセット１３１からの検出結果に基づいて生成されたグラフの例を、それぞれ示す。しかし、上述のように分析装置１４０は、各コイルセット１３１ａ，１３１ｂ、１３１ｃから受信した出力データそれぞれについて、すなわち、チャンネル毎に、グラフを生成し、それぞれ表示部１４４に表示する。
【００４５】
これらの図において、縦軸は、検出値（誘導電圧（Ｖ））で、横軸は、時間である。ただし、保持装置１１０をスライドガイド１２０の長手方向（ｘ方向）に沿って移動させるため、移動速度が既知であれば、この移動速度を用いて横軸は、保持装置１１０の、スライドガイド１２０の長手方向（ｘ方向）の位置を算出することができる。
【００４６】
図７（ａ）は、グリス１１１内に鉄粉が含まれていない場合の出力波形２１１の例である。本図に示すように、グリス１１１内に鉄粉が含まれていない場合は、誘導電圧は発生しない。これは、上述のように、発振コイル１３６により生成される磁界が乱されないためである。
【００４７】
図７（ｂ）は、グリス１１１内の、ｘ方向の所定の領域にのみ鉄粉が含まれている場合の出力波形２１２の例である。このような場合、本図に示すように、グリス１１１の、鉄粉が含まれている領域が受信コイル１３８上を通過する間のみ、誘導電圧が発生する。
【００４８】
図７（ｃ）は、グリス１１１内のｘ方向全般に鉄粉が含まれている場合の出力波形２１３の例である。このような場合、本図に示すように、グリス１１１が受信コイル１３８上を通過する間、誘導電圧が発生する。
【００４９】
本実施形態の分析装置１４０は、これらの出力波形を表示部１４４に表示する。ユーザは、この表示を見ることにより、封入袋１１２内のグリス１１１の、スライドガイド１２０に沿った、移動方向（−ｘ方向）の、鉄粉の分布の変化を把握できる。
【００５０】
さらに、分析装置１４０は、検出装置１３０の幅方向（ｙ方向）に配置された、それぞれのコイルセット１３１ごとに、それぞれの出力データから得た出力波形を表示する。従って、ユーザは、表示された各出力波形により、グリス１１１内の鉄粉のｙ方向の分布も把握できる。
【００５１】
図８（ａ）〜図８（ｃ）に、各チャネルの出力波形の表示例を、図８（ｄ）にそれらの出力波形から推測されるグリス１１１内の鉄粉の分布を示す。また、図９（ａ）〜図９（ｃ）に、各チャネルの出力波形の他の表示例を、図９（ｄ）に、それらの出力波形から推測されるグリス１１１内の鉄粉の分布を示す。
【００５２】
例えば、図８（ａ）〜図８（ｃ）に示すように、コイルセット１３１ａ、１３１ｂ、１３１ｃからのそれぞれの検出結果による出力波形２２１ａ、２２１ｂ、２２１ｃが得られたものとする。すなわち、コイルセット１３１ｂからの出力データに基づいて生成された出力波形２２１ｂの、特定時間にのみ誘導電圧の変化がみられる例である。
【００５３】
ユーザは、このような表示を見て、封入袋１１２内のグリス１１１において、ｙ方向の中央領域であって、図８（ｄ）に示すように、ｘ方向の特定の領域にのみ鉄粉が含まれることを把握できる。これは、例えば、グリス１１１の充填時に鉄粉が異物として混ざり込んだ場合などである。
【００５４】
また、各コイルセット１３１ａ、１３１ｂ、１３１ｃの検出結果から、図９（ａ）〜図９（ｃ）に示すような出力波形２２２ａ、２２２ｂ、２２２ｃが得られたものとする。すなわち、各コイルセット１３１ａ、１３１ｂ、１３１ｃからの出力データに基づいて生成された全ての出力波形全体に、誘導電圧の変化がみられる例である。
【００５５】
ユーザは、このような表示を見て、図９（ｄ）に示すように、封入袋１１２内のグリス１１１において、全体に鉄粉が分布していることを把握できる。これは、例えば、このグリス１１１が軸受部の潤滑と部品保護のために充填されるものである場合、軸受けが経年劣化で摩耗している場合等の例である。
【００５６】
このように、ユーザは、表示部１４４に表示される出力波形により、グリス１１１内の鉄粉の分布状態を把握できる。すなわち、ユーザは、本実施形態の金属不純物検査装置１００により、グリス１１１内のｘ方向、ｙ方向の２次元方向の鉄粉の分布を把握できる。
【００５７】
なお、図１０に示すように、各コイルセット１３１ａ、１３１ｂ、１３１ｃからの出力に基づいて生成した出力波形２２３ａ、２２３ｂ、２２３ｃを１つにまとめて表示してもよい。これにより、ユーザは、直感的に鉄粉の分布全体を把握できる。
【００５８】
以上説明したように、本実施形態の金属不純物検査装置１００は、粘性を有する物質である粘性物質（グリス１１１）内に含まれる金属不純物（鉄粉）を検出する。そして、粘性物質（グリス１１１）を一定の厚みに保って保持する保持装置１１０と、粘性物質（グリス１１１）内の金属不純物（鉄粉）を検出する検出装置１３０と、検出装置１３０の上に配置され、保持装置１１０をスライド自在に案内するガイドレール１２１を有するスライドガイド１２０と、を備える。そして、検出装置１３０は、保持装置１１０がスライドする方向に交互に配置される発振コイル１３６と受信コイル１３８とを有するコイルセット１３１を複数備え、発振コイル１３６は、交流磁場を生成し、受信コイル１３８は、発振コイル１３６が生成した交流磁場に基づく磁場波形を出力データとして出力し、複数のコイルセット１３１それぞれは、保持装置１１０がスライドするスライド面上でスライドする方向に直交する幅方向（ｙ方向）の、異なる位置に配置される。
【００５９】
このように、本実施形態の金属不純物検査装置１００は、グリス１１１を一定の厚みに保持する保持装置１１０をスライドガイド１２０にそってスライドさせ、グリス１１１内に鉄粉が存在することにより発生する誘導電圧の時間変化を検出することにより、グリス１１１内の鉄粉を検出する。検出装置１３０は、交流磁場を生成する発振コイル１３６と鉄粉が存在することにより変化する、その交流磁場による誘導電圧を検出する受信コイルとにより構成される。
【００６０】
本実施形態の金属不純物検査装置１００は、このような簡易な構成で、グリス１１１内の鉄粉を検出できる。
【００６１】
また、コイルセット１３１の発振コイル１３６は、互いに逆向きの交流磁場を生成する第一発振コイル１３６ａおよび第二発振コイル１３６ｂを備え、受信コイル１３８は、第一発振コイル１３６ａおよび第二発振コイル１３６ｂの中間に配置される。
【００６２】
従って、グリス１１１内に鉄粉がない場合は、受信コイル１３８において、第一発振コイル１３６ａおよび第二発振コイル１３６ｂによる交流磁場は、打消し合う。一方、グリス１１１内に鉄粉が存在すると、何れかの交流磁場が残り、誘導電圧が発生する。従って、精度よくグリス１１１内の鉄粉を検出できる。また、発振コイル１３６により大きな磁場を生成する必要がなく、消費電力も少なくて済む。
【００６３】
また、本実施形態の金属不純物検査装置１００は、検出装置１３０から出力される出力データを分析し、金属不純物（鉄粉）の有無を示す情報として、出力波形をユーザに提示する分析装置１４０をさらに備える。
【００６４】
すなわち、本実施形態によれば、分析装置１４０において、グリス１１１内に鉄粉が存在することにより発生する誘導電圧の時間変化が出力データとして出力される。上記コイルセット１３１の配置により、鉄粉がグリス１１１内に含まれない場合、出力波形は、略直線状になる。一方、少しでも鉄粉が含まれる場合は、出力波形が直線でなくなる。従って、ユーザは、このような出力波形を見ることにより、グリス１１１内に鉄粉が含まれるか否かを容易に把握できる。
【００６５】
また、本実施形態の金属不純物検査装置１００は、保持装置１１０は、グリス１１１が載置される載置板１１４と、グリス１１１の上に配置され、載置板１１４との距離が一定になるように保持されるカバー板１１３と、を備える。そして、スライドガイド１２０は、保持装置１１０を検出装置１３０の表面に一定距離で近接させながら案内する案内溝を有するガイドレール１２１を備える。
【００６６】
このような構成を有するため、本実施形態によれば、グリス１１１は、検出中、略平面状に保たれる。また、出力データは、スライド方向の位置に応じた鉄粉の有無を示す。そして、上述のように、コイルセット１３１は、幅方向（ｙ方向）の異なる位置に配置され、それぞれのコイルセット１３１で検出した出力データを得ることができる。
【００６７】
以上のように、本実施形態によれば、グリス１１１を平面状に薄く延ばし、平面状の検出装置１３０に近接させることで、２軸（Ｘ，Ｙ）で鉄粉を検出する。すなわち、グリス１１１内の２次元の鉄粉の分布を把握する簡易な構成の装置で、グリス１１１に含有される鉄粉濃度の検査が可能となる。
【００６８】
＜＜第二実施形態＞＞
次に、本発明の第二実施形態を説明する。本実施形態では、分析装置１４０が、検出装置１３０の出力を分析し、鉄粉の分布に応じた警告を出力する。
【００６９】
本実施形態の金属不純物検査装置１００のハードウェア構成は、第一実施形態と同様である。従って、ここでは、説明を省略する。
【００７０】
本実施形態の分析装置１４０の情報処理部１４１は、上述のように検出装置１３０による検出結果を分析し、分析結果に応じて警告を出力する。本実施形態では、これを実現するため、本実施形態の分析装置１４０の情報処理部１４１は、図５（ｂ）に示すように、含有量判別部１５１と、分布算出部１５２と、警告出力部１５３と、を備える。なお、画像解析部１５４は、後述する第三実施形態の機能である。
【００７１】
これらの各機能は、予め記憶装置１４１ｃに格納されたプログラムを、ＣＰＵ１４１ａが、メモリ１４１ｂにロードして実行することにより実現される。
【００７２】
含有量判別部１５１は、検出装置１３０から受信した検出結果（誘導電圧）の絶対値の最大値（以下、単に最大値と呼ぶ。）を特定する。そして、特定した最大値が、予め定めた検出閾値以上であるか否かを判別する。そして、検出閾値以上であれば、分布算出部１５２に分布解析を行うよう指示を出力する。
【００７３】
検出閾値は、グリス１１１内に鉄粉が含まれているか否かを判別するために設けられる閾値である。従って、略０に近い、極小の値が設定される。検出閾値は、予め情報処理部１４１の記憶装置１４１ｃに記憶される。
【００７４】
分布算出部１５２は、含有量判別部１５１からの指示に応じて、鉄粉の分布を解析する。本実施形態では、上述の検出閾値と予め定めた閾値とを超えた回数を算出し、回数に基づき、予め定めた分布特性のいずれに対応するかを特定し、特定した分布特性を解析結果として出力する。
【００７５】
例えば、分布算出部１５２は、まず、単位時間毎の出力データの絶対値の最大値（以下、単に極値と呼ぶ。）を特定する。そして、各単位時間において、極値が、検出閾値を超えたか否か、よび、予め定めた分布閾値を超えたか否かを判別する。そして、全検出期間にわたり、極値が検出閾値を超えた単位時間の数Ｎ１、および、極値が分布閾値を超えた単位時間の数Ｎ２を、それぞれ、カウントする。
【００７６】
なお、分布閾値は、グリス１１１内の鉄粉の分布態様を判別するために設けられ、検出閾値より大きい値とする。分布閾値は、予めユーザにより設定され、記憶装置１４１ｃに格納される。
【００７７】
各回数Ｎ１、Ｎ２と、分布特性とは、予め対応づけて記憶装置１４１ｃに保持しておく。例えば、各回数Ｎ１、Ｎ２についてそれぞれ予め設定される判別閾値Ｔ１，Ｔ２を用いて、分布特性を定めておく。分布算出部１５２は、算出した各回数Ｎ１，Ｎ２に対応する分布特性を特定することにより、分布算出部１５２は、ｘ方向の鉄粉の分布特性を得る。
【００７８】
また、分布算出部１５２は、上記処理を各コイルセット１３１ａ、１３１ｂ、１３１ｃからの出力データ（各チャネル）について行うことにより、ｙ方向の所定の範囲毎の鉄粉の分布特性を得る。
【００７９】
上記含有量判別部１５１および分布算出部１５２の処理を、鉄粉の分布特性が図１１（ａ）から図１２（ｂ）のいずれかである場合を例に、具体例で説明する。ここでは、検出閾値を一点鎖線２４１で、分布閾値を破線２４３でそれぞれ示す。
【００８０】
例えば、図１１（ａ）に示す出力波形２３１が得られた場合、含有量判別部１５１は、特定した最大値が、予め定めた検出閾値未満であると判別する。従って、分布算出部１５２に分布解析を行うよう指示を出力しない。これに伴い、分布算出部１５２も分布解析を行わず、警告出力部１５３に警告出力指示は行わない。
【００８１】
一方、図１１（ｂ）〜図１２（ｂ）に示す出力波形２３２が得られた場合、含有量判別部１５１は、特定した最大値が、予め定めた検出閾値以上であると判別する。従って、分布算出部１５２に分布解析を行うよう指示を出力する。指示を受け、分布算出部１５２は、それぞれについて、Ｎ１およびＮ２を算出する。
【００８２】
例えば、分布算出部１５２は、図１１（ｂ）に示す出力波形２３２については、Ｎ１は３回、Ｎ２が０回と算出する。また、図１１（ｃ）に示す出力波形２３３については、Ｎ１が３回、Ｎ２が２回と算出する。また、図１２（ａ）に示す出力波形２３４については、Ｎ１が１３回、Ｎ２が０回と算出する。図１２（ｂ）に示す出力波形２３５については、回数Ｎ１が７回、回数Ｎ２が０回と算出する。
【００８３】
ここで、予め分布特性Ｄ１，Ｄ２、Ｄ３の３つの分布特性を用意しておくものとする。例えば、分布特性Ｄ１は、Ｎ１が１以上かつ判別閾値Ｔ１未満、かつ、Ｎ２が判別閾値Ｔ２未満とし、分布特性Ｄ２は、Ｎ１が１以上かつ判別閾値Ｔ１未満、かつ、Ｎ２が判別閾値Ｔ２以上とし、分布特性Ｄ３は、Ｎ１が判別閾値Ｔ１以上とする。
【００８４】
分布算出部１５２は、図１１（ｂ）に示す出力波形２３２が得られた場合、上記算出結果に基づき、分布特性Ｄ１と特定する。また、図１１（ｃ）に示す出力波形２３３が得られた場合、上記算出結果に基づき、分布特性Ｄ２と特定する。また、図１２（ａ）に示す出力波形２３４が得られた場合および図１２（ｂ）に示す出力波形２３５が得られた場合、上記算出結果に基づき、分布特性Ｄ３と特定する。そして、特定した分布特性を、それぞれ、警告出力部１５３に出力する。
【００８５】
警告出力部１５３は、分布算出部１５２の分布解析結果に基づいて、予め定めた規則に従って、警告等の出力情報を出力する。
【００８６】
例えば、少なくとも１つのチャネルの解析結果が、分布特性Ｄ１である場合、グリス１１１内の当該チャネルに対応するｙ方向の領域の鉄粉が、図１１（ａ）に示すような分布であることを意味する。この場合は、警告出力部１５３は、要観察を意味する警告を出力する。さらに、微小な鉄粉がわずかに含まれることを意味するメッセージを出力してもよい。
【００８７】
また、少なくとも１つのチャネルの解析結果が、分布特性Ｄ２である場合、グリス１１１内の当該チャネルに対応するｙ方向の領域の鉄粉が、図１１（ｂ）に示すような分布であることを意味する。この場合は、警告出力部１５３は、要観察を意味する警告を出力する。さらに、大量の鉄粉が含まれ、グリス充填時に混ざり込んだ可能性が高いことを意味するメッセージを出力してもよい。
【００８８】
また、少なくとも１つのチャネルの解析結果が、分布特性Ｄ３である場合、グリス１１１内の当該チャネルに対応するｙ方向の領域の鉄粉が、図１２（ａ）または図１２（ｂ）に示すような分布であることを意味する。この場合、警告出力部１５３は、軸受交換、再点検対象とすべきであることを意味する警告を出力する。さらに、鉄粉がグリス１１１全体に分布していること、および、軸受が経年で摩耗している可能性が高いと判断できることを意味するメッセージを出力してもよい。
【００８９】
なお、分布特性ごとに出力する警告は、予め定め、記憶装置１４１ｃ等に記憶しておく。
【００９０】
このように、本実施形態の金属不純物検査装置１００は、第一実施形態の構成に、さらに、グリス１１１内の鉄粉の分布を算出する分布算出部１５２と、算出した分布に応じた警告を出力する警告出力部１５３と、をさらに備える。
【００９１】
従って、本実施形態によれば、ユーザは、グラフだけでなく、グリス１１１内の鉄粉の分布に応じた警告を受けることができる。これにより、グリス１１１の状態をより的確に把握することができ、また、グリス１１１の状態に応じて最適な処置を行うことができる。
【００９２】
なお、上記実施形態では、最初に含有量判別部１５１で最大値を判別しているが、この処理は行わなくてもよい。この場合は、受信した全ての出力データを、分布算出部１５２が解析する。
【００９３】
例えば、図１１（ａ）に示す出力波形２３１の場合、Ｎ１、Ｎ２ともに０と算出される。このような場合の分布特性を、例えば、分布特性Ｄ０として定めておく。また、警告出力部１５３では、分布特性Ｄ０に対応づけて、例えば、警告を出力しないという処理、あるいは、正常であることを意味する出力を行う処理を登録しておく。そして、このような分布特性を受信すると、対応づけた処理を行う。
【００９４】
また、本実施形態では、出力データの最大値、極値により、グリス１１１内の鉄粉の分布を特定しているが、これに限定されない。例えば、含有量を算出し、算出した含有量に基づき、グリス１１１内の鉄粉の分布を特定してもよい。
【００９５】
含有量は、例えば、出力データを積分することにより算出される。例えば、予め、単位量を含有させたサンプルグリスを用いて検出を行い、単位含有量Ａを特定する。そして、この単位含有量Ａの何倍であるかを算出し、含有量とする。
【００９６】
このとき、分布算出部１５２は、単位時間毎に含有量を算出する。これにより、分布算出部１５２は、ｘ方向の所定の範囲毎の鉄粉の含有量、すなわち、ｘ方向の鉄粉の分布を定量的に得る。さらに、単位時間毎の含有量の算出を、各コイルセット１３１ａ、１３１ｂ、１３１ｃからの出力データについて行うことにより、分布算出部１５２は、ｙ方向の所定の範囲毎の含有量、すなわち、ｙ方向の鉄粉の分布を定量的に得る。
【００９７】
また、分布は、例えば、パターンマッチング等により特定してもよい。この場合、鉄粉の特徴的な分布に対応づけて、予め、複数の出力波形を登録しておく。分布算出部１５２は、出力データより得られた出力波形を登録されたパターンとマッチングし、最も近いパターンを特定し、それにより、鉄粉の分布特性を特定する。
【００９８】
＜＜第三実施形態＞＞
次に、本発明の第三実施形態を説明する。本実施形態では、第一実施形態または第二実施形態のいずれかの金属不純物検査装置１００にカメラを備え、検査対象であるグリス１１１の画像をさらに取得する。以下、第一実施形態の構成に、カメラを備える場合を例にあげて説明する。
【００９９】
図１３は、本実施形態の金属不純物検査装置１０１の全体構成図である。本図に示すように本実施形態の金属不純物検査装置１０１は、第一実施形態の金属不純物検査装置１００と同様に、保持装置１１０と、スライドガイド１２０と、検出装置１３０と、分析装置１４０と、を備える。そして、さらに、カメラ１７０と照明装置１６０とを備える。
【０１００】
検出装置１３０は、第一実施形態と同様であるため、説明を省略する。
【０１０１】
照明装置１６０は、保持装置１１０に保持されたグリス１１１をカメラ１７０により撮影する際、保持装置１１０を照射する。このため、照明装置１６０は、例えば、ＬＥＤランプ等のランプ１６１を備える。
【０１０２】
照明装置１６０のｙ方向の長さ（幅）は、検出装置１３０と同一である。また、照明装置１６０は、図１４に示すように、ｙ方向の位置が検出装置１３０と同一であり、かつ、その上面が、検出装置１３０の上面と同一平面（面一）となるように設けられる。
【０１０３】
ランプ１６１は、図１４に示すように、保持装置１１０の全面を照射可能に配置される。
【０１０４】
カメラ１７０は、保持装置１１０に保持されたグリス１１１を撮影する撮影装置である。本実施形態では、カメラ１７０は、固定アーム等に装着され、例えば、図１３に示すように、照明装置１６０および保持装置１１０の上方に配置される。
【０１０５】
スライドガイド１２０は、保持装置１１０を、同一平面となる検出装置１３０の上面と照明装置１６０の上面とに一定距離で近接させつつ、スライド自在に支持し、ｘ方向に案内する。スライドガイド１２０は、検出装置１３０および照明装置１６０のｙ方向両脇に、ｘ方向の全長に渡って、それぞれ配置される２本実施形態のガイドレール１２２ａおよび１２２ｂを備える。ガイドレール１２２ａおよび１２２ｂは、保持装置１１０を案内する案内溝を備える。ガイドレール１２２ａおよび１２２ｂ案内溝の構成は、第一実施形態と同様である。
【０１０６】
保持装置１１０は、スライドガイド１２０により、検出装置１３０と照明装置１６０との上をｘ方向にスライドする。保持装置１１０が照明装置１６０の上に位置する際、照明装置１６０は、下方から保持装置１１０を照射する。
【０１０７】
保持装置１１０は、第一実施形態同様、封入袋１１２と、挟み板（カバー板）１１３と、挟み板（載置板）１１４とを備える。ただし、本実施形態では、カメラ１７０により、上方から撮影される。また、照明装置１６０により、下方から照射される。従って、封入袋１１２と、カバー板１１３と、載置板１１４とには、例えば、透過性を有する材質が用いられる。特に、カバー板１１３および載置板１１４には、例えば、アクリル板等が用いられる。
【０１０８】
なお、カメラ１７０で撮影された、グリス１１１の画像は、分析装置１４０に送信される。カメラ１７０および分析装置１４０は、有線または無線で接続される。
【０１０９】
分析装置１４０は、第一実施形態同様、検出装置１３０から出力される出力データを分析し、ユーザに提示する。本実施形態では、さらに、カメラ１７０から送信されたグリス１１１の画像を、ユーザに提示する。なお、分析装置１４０のハードウェア構成は、第一実施形態と同様であるため、ここでは、説明を省略する。
【０１１０】
ユーザは、第一実施形態同様、検出装置１３０による検出結果から生成されるグラフにより、グリス１１１内の鉄粉の分布等の情報を得ることができるとともに、カメラ１７０で撮影した画像を見ることにより、グリス１１１内の鉄粉の分布情報を得ることができる。
【０１１１】
以上説明したように、本実施形態の金属不純物検査装置１０１は、保持装置１１０に保持されるグリス１１１を撮影する撮影装置であるカメラ１７０と、カメラ１７０でグリス１１１を撮影する際に当該グリス１１１に光を照射する照明装置１６０と、をさらに備える。
【０１１２】
これにより、本実施形態によれば、検出装置１３０による検出結果に加え、平面状に維持されたグリス１１１の画像を得ることができる。そして、得られた画像により、さらにグリス１１１の状態を観察できる。従って、複数の出力により、より高い精度で、グリス１１１の状態を把握できる。
【０１１３】
また、本実施形態の金属不純物検査装置１０１では、検出装置１３０の上面と照明装置１６０の上面とは、同一平面上に配置される。従って、この面をスライド面として、保持装置１１０をスライドさせることにより、検出装置１３０による検出と、カメラ１７０による撮影とを１回の操作で実現できる。
【０１１４】
なお、本実施形態は、第一実施形態の構成にカメラ１７０および照明装置１６０を加える場合を例にあげて説明したが、上述のように、第二実施形態にカメラ１７０および照明装置１６０を加えてもよい。
【０１１５】
この場合、分析装置１４０は、図５（ｂ）に示すように、さらに、画像解析部１５４を備える。画像解析部１５４は、取得された画像を分析し、その結果を出力する。
【０１１６】
例えば、取得した画像を２値化し、鉄粉の分布位置を特定する。あるいは、２値化し、鉄粉の分布領域の面積を算出し、含有量を算出してもよい。さらには、グリス１１１の色から、グリスの劣化状態を判定してもよい。判定基準とする色は、予め設定し、分析装置１４０に保持させておく。
【０１１７】
＜変形例１＞
なお、上記実施形態では、検出装置１３０の上面と照明装置１６０の上面とが同一平面となるように照明装置１６０を配置している。しかしながら、照明装置１６０の配置は、これに限定されない。例えば、検出装置１３０を着脱自在に構成し、照明装置１６０の上に必要に応じて取り付ける構成としてもよい。
【０１１８】
この変形例の金属不純物検査装置１０２の全体構成図を、図１５に示す。本図に示すように、本実施形態の金属不純物検査装置１０２は、保持装置１１０と、スライドガイド１２０と、検出装置１３０と、分析装置１４０と、カメラ１７０と、照明装置１６０とを備える。
【０１１９】
基本的に、第三実施形態と同名の構成は、同じ機能を有する。ただし、本実施形態では、検出装置１３０は、着脱自在に構成される。また、スライドガイド１２０は、照明装置１６０のｙ方向両脇にそれぞれ配置される案内溝を有するガイドレール１２３ａ、１２３ｂを備える。以下、区別する必要が無い場合は、ガイドレール１２３で代表する。
【０１２０】
ガイドレール１２３は、図１６（ａ）に示すように、案内溝として、検出装置１３０を挿入して保持する第一案内溝１２４と、保持装置１１０を、検出装置１３０の表面（上面）に一定距離で近接させつつ、スライド自在に支持し、−ｘ方向に案内する第二案内溝１２５とを備える。第一案内溝１２４は、第二案内溝１２５よりも、照明装置１６０側に設けられる。
【０１２１】
鉄粉の分布を検出する場合は、検出装置１３０を第一案内溝１２４に挿入する。そして、保持装置１１０を、第二案内溝１２５に挿入し、−ｘ方向にスライドさせて、グリス１１１内の鉄粉を検出する。一方、グリス１１１を撮影する際は、検出装置１３０を取り外す。検出装置１３０を取り外すことにより、第二案内溝１２５に挿入される保持装置１１０を照明装置１６０から照射できる。
【０１２２】
なお、検出装置１３０の構成および照明装置１６０の構成は、図１６（ｂ）および図１６（ｃ）に示すように、それぞれ、第三実施形態の同名のものと同じである。また、第一案内溝１２４のｚ方向の高さは、検出装置１３０を挿入可能な最少の高さとする。また、第二案内溝１２５のｚ方向の高さは、保持装置１１０をスライド可能な最少の高さとする。
【０１２３】
このように構成することにより、本変形例によれば、ｘ方向の装置サイズを低減することができる。
【０１２４】
＜変形例２＞
なお、第三実施形態では、保持装置１１０のカメラ１７０側の挟み板であるカバー板１１３は、特定の波長のみを透過させるフィルタであってもよい。このようなフィルタをカバー板１１３に用いることにより、グリス１１１内に含まれる異物の成分を特定できる。
【０１２５】
例えば、画像解析部１５４は、全く異物を含まない状態のグリスを、フィルタを用いて予め撮影し、基準画像として保持しておく。そして、同じフィルタを用いてグリス１１１を撮影し、得られた画像と基準画像との吸収率の差により、成分を判別する。
【０１２６】
また、複数の、それぞれ、異なる波長を透過させるフィルタを用意し、それぞれのフィルタでグリス１１１の画像を取得してもよい。この場合、画像解析部１５４は、各画素の波長信号の比を算出することにより、成分を特定する。
【０１２７】
＜変形例３＞
さらに、保持装置１１０の照明装置１６０側の挟み板である載置板１１４に、既定のパターンを設けてもよい。この場合、分析装置１４０は、この態様で撮影した画像において、既定のパターンの検出量により、鉄粉の含有量を算出する。
【０１２８】
なお、上記各実施形態および各変形例において、検出装置１３０に設置するコイルセット１３１の数、個所は、限定されない。保持装置１１０の幅方向（ｙ方向）全域を検出可能なように配置されていればよい。例えば、図１７のように、コイルセット１３１を、ｘ方向の異なる位置にさらに配置し、ｙ方向の空隙を埋めてもよい。これにより、さらに測定の漏れは低減される。
【０１２９】
また、上記各実施形態および各変形例では、検出装置１３０および照明装置１６０の電源は図示を省略した。電源は、内臓または外部接続したバッテリー、買電など外部からの電源供給のいずれでもよい。
【０１３０】
また、上記各実施形態および各変形例の検出装置１３０には、例えば、図１８に示す、乗客コンベアのハンドレールに内蔵されるハンドレール検査装置を用いてもよい。このハンドレール検査装置は、底面に、互いに逆向きの交流磁場を発生する第一発振コイル、第二発振コイルと、それらの中間またはその近傍に位置する受信コイルと、を長手方向に一列に配置したコイルセットが複数、幅方向にずらして設けられ、このコイルセット上をハンドレールが通過する際、高ＳＮ比で、ハンドレールに内蔵されたスチールコードの劣化を検査する装置である。
【０１３１】
このように、既存の装置を応用することにより、低い開発コストで信頼性の高い装置を得ることができる。
【０１３２】
さらに、上記各実施形態および各変形例の金属不純物検査装置１００、１０１、１０２は、分析装置１４０を備えているが、分析装置１４０は、備えなくてもよい。この場合、例えば、検出装置１３０がＣＰＵとＲＯＭとＲＡＭと通信部とを備える。そして、検出結果を一旦ＲＯＭまたはＲＡＭに保持し、必要に応じて外部の装置に出力するよう構成してもよい。検出結果は、出力先の外部の装置において分析する。
【０１３３】
なお、上記各実施形態では、分析装置１４０の各機能は、ＣＰＵ１４１ａがプログラムを実行することにより実現されているが、これに限定されない。例えば、全部または一部の機能は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（ｆｉｅｌｄ−ｐｒｏｇｒａｍｍａｂｌｅ  ｇａｔｅ  ａｒｒａｙ）などのハードウェアによって実現されてもよい。
【０１３４】
また、本発明は、上述した実施形態に限定するものではなく、様々な変形例が含まれる。例えば、上述した実施形態は、本発明を分かり易く説明するためのものであり、本発明は、必ずしも上記実施形態で説明した全ての構成を備えるものに限定されない。
【０１３５】
また、各図面において、制御線や情報線は説明上必要と考えられるものを記載しており、必ずしも製品として必要な全ての制御線や情報線を記載しているとは限らない。実際の製品では、殆ど全ての構成要素が相互に接続されていると考えてもよい。
【０１３６】
また、本発明は、特許請求の範囲に記載した本発明の要旨を逸脱しない限りその他種々の応用例、変形例を取り得る。
【符号の説明】
【０１３７】
１００：金属不純物検査装置、１０１：金属不純物検査装置、１０２：金属不純物検査装置、
１１０：保持装置、１１１：グリス、１１１ｆ：鉄粉、１１２：封入袋、１１３：挟み板（カバー板）、１１４：挟み板（載置板）、
１２０：スライドガイド、１２１：ガイドレール、１２１ａ：ガイドレール、１２１ｂ：ガイドレール、１２２：ガイドレール、１２２ａ：ガイドレール、１２２ｂ：ガイドレール、１２３：ガイドレール、１２３ａ：ガイドレール、１２３ｂ：ガイドレール、１２４：第一案内溝、１２５：第二案内溝、
１３０：検出装置、１３１：コイルセット、１３１ａ：コイルセット、１３１ｂ：コイルセット、１３１ｃ：コイルセット、１３２：交流発生部、１３３：受信部、１３６：発振コイル、１３６ａ：第一発振コイル、１３６ｂ：第二発振コイル、１３８：受信コイル、
１４０：分析装置、１４１：情報処理部、１４１ａ：ＣＰＵ、１４１ｂ：メモリ、１４１ｃ：記憶装置、１４２：通信部、１４３：操作部、１４４：表示部、１５１：含有量判別部、１５２：分布算出部、１５３：警告出力部、１５４：画像解析部、
１６０：照明装置、１６１：ランプ、１７０：カメラ、
２１１：出力波形、２１２：出力波形、２１３：出力波形、２２１ａ：出力波形、２２１ｂ：出力波形、２２１ｃ：出力波形、２２２ａ：出力波形、２２２ｂ：出力波形、２２２ｃ：出力波形、２２３ａ：出力波形、２２３ｂ：出力波形、２２３ｃ：出力波形、２３１：出力波形、２３２：出力波形、２３３：出力波形、２３４：出力波形、２３５：出力波形、２４１：一点鎖線、２４３：破線
【図１】
2020197421.tif 000003
【図２】
2020197421.tif 000004
【図３】
2020197421.tif 000005
【図４】
2020197421.tif 000006
【図５】
2020197421.tif 000007
【図６】
2020197421.tif 000008
【図７】
2020197421.tif 000009
【図８】
2020197421.tif 000010
【図９】
2020197421.tif 000011
【図１０】
2020197421.tif 000012
【図１１】
2020197421.tif 000013
【図１２】
2020197421.tif 000014
【図１３】
2020197421.tif 000015
【図１４】
2020197421.tif 000016
【図１５】
2020197421.tif 000017
【図１６】
2020197421.tif 000018
【図１７】
2020197421.tif 000019
【図１８】
2020197421.tif 000020